(57)【要約】      （修正有）【課題】各歯の症状及び治療に関する情報を個別に表示することで、患者に最適な治療方針を提案する治療提案書の生成が可能な治療提案書生成システムを提供する。【解決手段】患者の口腔内の歯の状態に基づいて患者に対する治療提案書の生成を支援する治療提案書生成システム（装置１）であって、歯の症状情報及び症状情報に対する治療方法情報を有する治療パターン情報を登録する、治療パターン情報登録手段２と、治療パターン情報に応じた価格情報を登録する価格情報登録手段３と、治療パターン情報に基づいて、患者の各歯についての現症情報を個別に入力する現症情報入力手段６と、現症情報、価格情報に基づいて治療プランを生成する治療プラン生成手段８と、症状情報に基づいて歯の治療優先度情報を入力する、治療優先度情報入力手段９と、治療プラン及び治療優先度情報に基づいて治療提案書を生成する、治療提案書生成手段１１を備える。【選択図】図２
2018152067.tif 000002
【特許請求の範囲】
【請求項１】
患者の口腔内の歯の状態に基づいて、患者に対する治療提案書の生成を支援する治療提案書生成システムであって、
歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段を備えることを特徴とする、治療提案書生成システム。
【請求項２】
前記現症情報は、現症情報入力画面を介して表示され、
前記現症情報入力画面は、現症情報入力部と、歯列表示部と、口腔内画像取込部と、を備え、
前記歯列表示部は、前記口腔内画像取込部を用いて取り込んだ口腔内画像を、歯列画像と共に表示可能であることを特徴とする、請求項１に記載の治療提案書生成システム。
【請求項３】
前記歯列表示部は、前記口腔内画像の表示を左右又は上下に反転可能であることを特徴とする、請求項２に記載の治療提案書生成システム。
【請求項４】
前記歯列表示部は、前記現症情報入力部に入力された前記現症情報に基づいて、視覚的に前記現症情報を表示可能であることを特徴とする、請求項２又は３に記載の治療提案書生成システム。
【請求項５】
前記歯列表示部は、前記現症情報入力部に入力された前記現症情報に基づいて、前記歯列画像内の各歯の色を変更して表示可能であることを特徴とする、請求項２〜４の何れかに記載の治療提案書生成システム。
【請求項６】
前記治療パターン情報及び前記価格情報に基づいて、歯の治療にかかる費用の見積に関する見積情報を生成する見積情報生成手段を備えることを特徴とする、請求項１〜５の何れかに記載の治療提案書生成システム。
【請求項７】
前記見積情報は、前記治療優先度情報に紐づけられ、
前記見積情報生成手段は、前記治療優先度情報に基づいて、治療提案書に含める前記見積情報を決定することを特徴とする、請求項６に記載の治療提案書生成システム。
【請求項８】
前記治療パターン情報登録手段は、一の前記症状情報に対して、異なる二以上の治療方法情報が紐づけられた、異なる二以上の治療パターン情報の登録を受け付け、
前記治療プラン生成手段は、前記異なる二以上の治療パターン情報を有する、二以上の治療プランを生成することを特徴とする、請求項１〜７の何れかに記載の治療提案書生成システム。
【請求項９】
前記異なる二以上の治療パターン情報は、自己負担時の治療パターン情報と、保険適用時の治療パターン情報と、を有することを特徴とする、請求項８に記載の治療提案書生成システム。
【請求項１０】
一の前記治療プランは、自己負担時の治療パターン情報若しくは保険適用時の治療パターン情報のみで構成されていることを特徴とする、請求項９に記載の治療提案書生成システム。
【請求項１１】
治療の内容に関する情報を参考資料情報として登録する、参考資料情報登録手段を備え、前記治療提案書生成手段は、前記参考資料情報を利用して治療提案書を生成することを特徴とする、請求項１〜１０の何れかに記載の治療提案書生成システム。
【請求項１２】
歯列情報変更画面を介して歯列情報を変更するための、歯列情報変更手段を備え、
前記歯列情報変更画面は、歯列を表示する歯列表示部を有し、
前記歯列情報は、前記歯列を形成する各歯の前記歯列情報変更画面内での表示位置を決定するための位置情報を有していることを特徴とする、請求項１〜１１の何れかに記載の治療提案書生成システム。
【請求項１３】
前記位置情報は、前記歯列表示部の範囲外に変更可能であることを特徴とする、請求項１２に記載の治療提案書生成システム。
【請求項１４】
治療内容一括登録画面を介して治療方法及び治療に必要な材料の少なくとも何れか一方を各歯について複数指定するための、治療内容一括登録手段を備えることを特徴とする、請求項１〜１３の何れかに記載の治療提案書生成システム。
【請求項１５】
複数本登録画面を介して複数の歯に同一の治療プランを一括で登録するための、複数本登録手段を備えることを特徴とする、請求項１〜１４の何れかに記載の治療提案書生成システム。
【請求項１６】
治療比較画面を介して治療前及び治療後の各歯の状態を比較するための、治療比較手段を備えることを特徴とする、請求項１〜１５の何れかに記載の治療提案書生成システム。
【請求項１７】
患者の口腔内の歯の状態に基づいて、患者に対する治療提案書の生成を支援する治療提案書生成プログラムであって、
コンピュータを歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段と、として機能させることを特徴とする、治療提案書生成プログラム。
【請求項１８】
患者の口腔内の歯の状態に基づいて、患者に対する治療提案書の生成を支援する治療提案書生成装置であって、
歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段を備えることを特徴とする、治療提案書生成装置。
【発明の詳細な説明】
【技術分野】
【０００１】
本発明は、歯科診療機関において、患者に治療方針や治療金額を提案する治療提案書生成システムに係るものである。
【背景技術】
【０００２】
現在、日本の医療現場において、医師が患者に対して、治療に関する説明（方法、費用、効果や危険性等）を十分に行い、患者の承諾を得た上で治療を行う、所謂インフォームドコンセントという考え方が広まっている。
【０００３】
また、患者情報や治療データは日々蓄積され、膨大なものとなることから、これらをコンピュータによって管理し、治療実績の向上が図られている。
【０００４】
特許文献１には、歯疾患の患部の現症、予定される終末処置形態、治療段階毎の治療形態等をコンピュータ上に蓄積、整理することで、患者個々の患部症状に合わせた説明画像を表示する歯科総合画像システムが記載されている。これにより、患者との円滑なコミュニケーションを図り、治療内容を十分に理解させることが可能となる。
【０００５】
特許文献２には、歯科医が、患者に口腔内の状態や今後の治療方針等を説明する際に、繰り返し使用可能で場所を取らず、歯科知識に乏しい患者も理解し易く、容易に補綴物を選択できる説明・閲覧用の歯科用シート及び歯科用冊子が記載されている。これにより、短時間で的確に、治療方針・治療内容・治療方法を患者に説明することが可能となる。
【先行技術文献】
【特許文献】
【０００６】
【特許文献１】特許第３２４１０９１号公報
【特許文献２】実用新案登録第３０８９３５４号公報
【発明の概要】
【発明が解決しようとする課題】
【０００７】
しかしながら、特許文献１に記載の歯科総合画像システムは、治療に際して、患部の現症と、治療後に予想される終末処置形態とを同時に分割表示し、比較するのみであり、口腔内の歯列全体における、各歯の現症を個別に表示し、比較する方法は記載されていない。よって、症状の異なる歯ごとに最適な治療方法を選択することや、症状の程度により優先順位をつけ、効率的に治療を行っていくことが困難である。
【０００８】
また、特許文献２に記載の歯科用シート及び歯科用冊子は、上顎、下顎それぞれの歯列全体を表示できるものの、補綴物の装着前及び装着後の状態を比較するのみであり、各歯の症状を個別に表示する方法は記載されていない。
【０００９】
本発明は上記のような実状に鑑みてなされたものであり、患者の口腔内の歯列全体において、各歯の症状及び治療に関する情報を個別に表示することで、患者に最適な治療方針を提案する治療提案書の生成が可能な治療提案書生成システムを提供することを課題とする。
【課題を解決するための手段】
【００１０】
上記課題を解決するために、本発明は、
患者の口腔内の歯の状態に基づいて、患者に対する治療提案書の生成を支援する治療提案書生成システムであって、
歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段を備えることを特徴とする。
【００１１】
本発明による治療提案書を用いれば、医師は、各歯の現症情報及び治療の優先度に基づいて効率的な治療方針を決定し、患者に提案することが可能となる。
【００１２】
本発明の好ましい形態では、前記現症情報は、現症情報入力画面を介して表示され、
前記現症情報入力画面は、現症情報入力部と、歯列表示部と、口腔内画像取込部と、を備え、
前記歯列表示部は、前記口腔内画像取込部を用いて取り込んだ口腔内画像を、歯列画像と共に表示可能であることを特徴とする。
このような構成とすることで、医師は、患部を確認しながら、正確な現症情報の入力が可能となる。
【００１３】
本発明の好ましい形態では、前記歯列表示部は、前記現症情報入力部に入力された前記現症情報に基づいて、視覚的に前記現症情報を表示可能であることを特徴とする。
このような構成により、医師は、文字情報だけでなく、視覚情報も用いることで、患者への現症の説明が容易となる他、患者の現症に対する理解度を向上させることが可能となる。
【００１４】
本発明の好ましい形態では、前記歯列表示部は、前記現症情報入力部に入力された前記現症情報に基づいて、前記歯列画像内の各歯の色を変更して表示可能であることを特徴とする。
このような構成とすることで、患者は、各歯の異常の有無等の状態を即座に識別することができ、現症に対する理解度がさらに向上する。
【００１５】
本発明の好ましい形態では、前記治療パターン情報及び前記価格情報に基づいて、歯の治療にかかる費用の見積に関する見積情報を生成する見積情報生成手段を備えることを特徴とする。
このような構成とすることで、治療提案書に見積に関する情報を含めることができ、優先度及び金銭面を総合的に勘案して、治療方針の決定及び提案を行うことができるため、治療方針の効率及び患者の治療方針に対する満足度を向上させることが可能となる。
【００１６】
本発明の好ましい形態では、前記治療パターン情報登録手段は、一の前記症状情報に対して、異なる二以上の治療方法情報が紐づけられた、異なる二以上の治療パターン情報の登録を受け付け、
前記治療プラン生成手段は、前記異なる二以上の治療パターン情報を有する、二以上の治療プランを生成することを特徴とする。
このような構成とすることで、治療プランの選択肢が増えるため、より最適な治療方針の決定及び提案を行うことが可能となる。
【００１７】
本発明の好ましい形態では、前記異なる二以上の治療パターン情報は、自己負担時の治療パターン情報と、保険適用時の治療パターン情報と、を有することを特徴とする。
このような構成とすることで、治療パターン情報の選択肢が増え、特に費用や治療方法が大きく異なる自己負担時及び保険適用時の治療パターン情報を比較し、より最適な治療方針の決定及び提案を行うことが可能となる。
【００１８】
本発明の好ましい形態では、一の前記治療プランは、自己負担時の治療パターン情報のみ若しくは保険適用時の治療パターン情報のみで構成されていることを特徴とする。
このような構成とすることで、治療プランの選択肢が増え、特に費用や治療方法が大きく異なる自己負担時及び保険適用時の治療プランを比較し、より最適な治療方針の決定及び提案を行うことが可能となる。
【００１９】
本発明の好ましい形態では、前記見積情報は、前記治療優先度情報に紐づけられ、
前記見積情報生成手段は、前記治療優先度情報に基づいて、治療提案書に含める前記見積情報を決定することを特徴とする。
このような構成とすることで、治療優先度によって治療提案書に含める治療パターン情報を設定することができるため、患者の要望に合わせた治療提案書の生成が可能となる。
【００２０】
本発明の好ましい形態では、治療の内容に関する情報を参考資料情報として登録する、参考資料情報登録手段を備え、前記治療提案書生成手段は、前記参考資料情報を利用して治療提案書を生成することを特徴とする。
このような構成とすることで、治療方針の提案と同時に、専門用語等、患者の理解が不十分と思われる事項を図や写真を利用して説明することが可能となる。
【００２１】
本発明の好ましい形態では、歯列情報変更画面を介して歯列情報を変更するための、歯列情報変更手段を備え、
前記歯列情報変更画面は、歯列を表示する歯列表示部を有し、
前記歯列情報は、前記歯列を形成する各歯の前記歯列情報変更画面内での表示位置を決定するための位置情報を有していることを特徴とする。
このような構成とすることで、例えば、歯並びの矯正治療を行う患者に対して、治療状況等の説明を、視覚的に分かり易く伝えることが可能となる。
【００２２】
本発明の好ましい形態では、前記位置情報は、前記歯列表示部の範囲外に変更可能であることを特徴とする。
このような構成とすることで、歯並びと共に、視覚的に歯の欠損の有無を治療提案書に反映させることが可能となる。
【００２３】
本発明の好ましい形態では、治療内容一括登録画面を介して治療方法及び治療に必要な材料の少なくとも何れか一方を各歯について複数指定するための、治療内容一括登録手段を備えることを特徴とする。
このような構成とすることで、治療方法や治療に必要な材料を各歯について複数指定できるため、複数の治療方法や材料を組み合わせた複雑な治療を施す場合であっても、少ない手順で簡易に治療内容を登録することが可能となる。
【００２４】
本発明の好ましい形態では、複数本登録画面を介して複数の歯に同一の治療プランを一括で登録するための、複数本登録手段を備えることを特徴とする。
このような構成とすることで、複数の歯に同一の治療プランを一括で登録できるため、治療提案書の生成を効率的に行うことが可能となる。
【００２５】
本発明の好ましい形態では、治療比較画面を介して治療前及び治療後の各歯の状態を比較するための、治療比較手段を備えることを特徴とする。
このような構成とすることで、治療前及び治療後の各歯の状態を、一つの画面を介して表示できるため、治療の進捗度を患者に的確に説明することが可能となる。
【００２６】
本発明の好ましい形態では、前記歯列表示部は、前記口腔内画像の表示を左右又は上下に反転可能であることを特徴とする。
このような構成とすることで、患者に治療内容等を説明する際の利便性が向上する。特に、鏡を用いて口腔内の画像を撮影し場合、口腔内画像が上下逆となって現症情報入力画面に表示されることとなるが、ユーザーは、即座に正しい向きでの表示に変更することが可能となる。
【００２７】
本発明は、患者の口腔内の歯の状態に基づいて、患者に対する治療提案書の生成を支援する治療提案書生成プログラムであって、
コンピュータを歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段と、として機能させることを特徴とする。
【００２８】
本発明は、患者の口腔内の歯の状態に基づいて、患者に対する治療提案書の生成を支援する治療提案書生成装置であって、
歯の症状情報及び症状情報に対する治療方法情報を有する治療パターン情報を登録する、治療パターン情報登録手段と、
前記治療パターン情報に応じた価格情報を登録する価格情報登録手段と、
前記治療パターン情報に基づいて、患者の各歯についての現症情報を個別に入力する現症情報入力手段と、
前記現症情報、前記価格情報に基づいて治療プランを生成する治療プラン生成手段と、
前記症状情報に基づいて歯の治療優先度情報を入力する、治療優先度情報入力手段と、
前記治療プラン及び前記治療優先度情報に基づいて治療提案書を生成する、治療提案書生成手段を備えることを特徴とする。
【発明の効果】
【００２９】
本発明によれば、患者の口腔内の歯列全体において、各歯の症状及び治療に関する情報を個別に表示することで、患者に最適な治療方針を提案する治療提案書の生成が可能な治療提案書生成システムを提供することができる。
【図面の簡単な説明】
【００３０】
【図１】本発明の実施形態１に係る治療提案書生成装置のハードウェア構成図である。
【図２】本発明の実施形態１に係る治療提案書生成装置の機能ブロック図である。
【図３】本発明の実施形態１に係る治療提案書生成装置において表示される治療提案書生成システムの患者指定画面の画面表示例である。
【図４】本発明の実施形態１に係る治療提案書生成装置において表示される治療提案書生成システムの現症情報入力画面の画面表示例である。
【図５】本発明の実施形態１に係る治療提案書生成装置において表示される治療提案書生成システムの（ａ）現症リストの生成要求画面の画面表示例、（ｂ）現症リストの一例である。
【図６】本発明の実施形態１に係る治療提案書生成装置において表示される治療提案書生成システムの（ａ）治療プラン生成画面の初期状態の画面表示例、（ｂ）表示パターン確認画面の画面表示例である。
【図７】本発明の実施形態１に係る治療提案書生成装置において表示される治療提案書生成システムの（ａ）治療プラン全体編集画面の画面表示例、（ｂ）治療プラン個別編集画面の画面表示例である。
【図８】本発明の実施形態１に係る治療提案書生成装置において表示される治療提案書生成システムの（ａ）口腔内画像入力画面の画面表示例、（ｂ）口腔内画像が表示された治療プラン全体編集画面の画面表示例である。
【図９】本発明の実施形態１に係る治療提案書生成装置において表示される治療提案書生成システムの治療提案リスト及び治療見積リストの生成要求画面の画面表示例である。
【図１０】本発明の実施形態１に係る治療提案書生成装置において生成される、（ａ）治療提案リストの一例、（ｂ）治療見積リストの一例である。
【図１１】本発明の実施形態１に係る治療提案書生成装置において表示される治療提案書生成システムの（ａ）参考資料情報の生成要求画面の画面表示例、（ｂ）参考資料の一例である。
【図１２】本発明の実施形態１に係る治療提案書を生成するための処理フローチャートである。
【図１３】本発明の実施形態２に係る治療提案書生成装置において表示される治療提案書生成システムの患者指定画面の画面表示例である。
【図１４】本発明の実施形態２に係る治療提案書生成装置において表示される治療提案書生成システムの歯列情報変更画面の画面表示例（歯列情報変更前）を示す図である。
【図１５】本発明の実施形態２に係る治療提案書生成装置において表示される治療提案書生成システムの歯列情報変更画面の画面表示例（歯列情報変更後）を示す図である。
【図１６】本発明の実施形態２に係る治療提案書生成装置において表示される治療提案書生成システムの歯列帳票の生成要求画面の画面表示例である。
【図１７】本発明の実施形態２に係る治療提案書生成装置において生成される歯列帳票の一例である。
【図１８】本発明の実施形態２に係る治療提案書を生成するための処理フローチャートである。
【図１９】本発明の実施形態３に係る治療提案書生成装置において表示される治療提案書生成システムの患者指定画面の画面表示例である。
【図２０】本発明の実施形態３に係る治療提案書生成装置において表示される治療提案書生成システムの現症情報入力画面の画面表示例である。
【図２１】本発明の実施形態３に係る治療提案書生成装置において表示される治療提案書生成システムの治療プラン生成画面の初期状態の画面表示例である。
【図２２】本発明の実施形態３に係る治療提案書生成装置において表示される治療提案書生成システムの（ａ）治療比較画面の画面表示例、（ｂ）治療比較印刷画面の画面表示例である。
【図２３】本発明の実施形態３に係る治療提案書生成装置において表示される治療提案書生成システムのプラン操作画面の画面表示例である。
【図２４】本発明の実施形態３に係る治療提案書生成装置において表示される治療提案書生成システムの複数本登録画面の画面表示例である。
【図２５】本発明の実施形態３に係る治療提案書生成装置において表示される治療提案書生成システムの参考資料印刷画面の画面表示例である。
【図２６】本発明の実施形態３に係る治療提案書生成装置において表示される治療提案書生成システムの（ａ）治療プラン全体編集画面の画面表示例、（ｂ）治療プラン個別編集画面の画面表示例である。
【図２７】本発明の実施形態３に係る治療提案書生成装置において表示される治療提案書生成システムの治療内容一括登録画面の画面表示例である。
【図２８】本発明の実施形態３に係る治療提案書生成装置において表示される治療提案書生成システムの（ａ）口腔内画像入力画面の画面表示例、（ｂ）口腔内画像が表示された治療プラン全体編集画面の画面表示例である。
【図２９】本発明の実施形態３に係る治療提案書生成装置において表示される治療提案書生成システムの治療提案書、治療見積書、治療見積兼承諾書及び表紙の生成要求画面の画面表示例である。
【図３０】本発明の実施形態３に係る治療提案書生成装置において生成される、（ａ）治療見積兼承諾書の一例、（ｂ）表紙の一例である。
【発明を実施するための形態】
【００３１】
例えば、実施形態１〜３では治療提案書生成装置を用いて実現した治療提案書生成システムの構成、動作などについて説明するが、クライアント端末並びに治療提案書生成サーバなど複数の装置を備えた治療提案書生成システムや、同様の構成の方法、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００３２】
実施形態１〜３では、医療機関に設置されたコンピュータに、治療提案書生成プログラムをインストールした治療提案書生成装置１を用いて、ユーザーである歯科医師が治療提案書の生成を行う場合について説明する。
【００３３】
＜実施形態１＞
以下、図１〜図１２を用いて、本実施形態に係る治療提案書生成装置について説明する。図１は、本実施形態に係る治療提案書生成装置１のハードウェア構成の一例を示す図である。治療提案書生成装置１は、ＣＰＵ１０１と、ＲＡＭ１０２と、記憶部１０３と、外部の装置と通信を行うためのインターフェースである通信部１０４と、タッチパネルや物理キーボード等の入力部１０５と、ディスプレイ等の出力部１０６と、を備えている。また、記憶部１０３は、オペレーティングシステム１０７と、治療提案書生成プログラム１０８などが記録されている。治療提案書生成プログラム１０８は、オペレーティングシステム１０７と協調してその機能を発揮するものである。
なお、実施形態２及び実施形態３に係る治療提案書生成装置１のハードウェア構成も同様である。
【００３４】
図２は、本実施形態に係る治療提案書生成装置１の機能構成例を示す機能ブロック図である。治療提案書生成装置１は、治療パターン情報登録手段２と、価格情報登録手段３と、参考資料情報登録手段４と、患者情報登録手段５と、現症情報入力手段６と、現症リスト生成手段７と、治療プラン生成手段８と、治療優先度情報入力手段９と、見積情報生成手段１０と、治療提案書生成手段１１と、を備えている。
【００３５】
＜管理者機能：初期設定＞
ユーザーは、初期設定として、治療パターン情報登録手段２を用いて、歯に関する症状情報及び症状情報に対する治療方法情報の登録を行う。
症状情報は、例えば、虫歯や詰め物（インレー、アンレー）・被せ物（クラウン）の状態、歯そのものの有無等、歯に関する症状を示す情報である。
治療方法情報は、例えば、矯正や切削、インプラント、充填等、症状情報に対応して登録される治療方法を示す情報である。インプラントや充填など材料を用いる治療に関しては、治療に用いる材料の情報が含まれてもよい。また、任意の一の歯が有する一の症状に対し複数の治療方法が考えられる場合、任意の一の歯に対して、同一の症状情報で異なる治療方法情報を登録することができる。特に、治療方法が大きく異なる、自己負担時の治療方法情報と、保険適用時の治療方法情報と、を登録することができる。
なお、一の症状情報とそれに対する一の治療方法情報をまとめて、一の治療パターン情報とする。
【００３６】
また、初期設定として、価格情報登録手段３を用いて、治療パターン情報に応じた価格情報の登録を行う。ユーザーは、医療機関の経営方針や経営状況、治療に要する労力等に合わせて、治療パターン情報ごとに個別で価格情報を登録することができる。特に、費用が大きく異なる、自己負担時の価格情報と、保険適用時の価格情報と、を登録することができる。
【００３７】
また、初期設定として、参考資料情報登録手段４を用いて、患者に治療の説明をする上で必要な情報が記載された参考資料情報の登録を行う。参考資料情報の例として、インプラントや歯周病といった専門用語の説明資料、歯に関する基礎的な知識に関する資料等が挙げられる。
【００３８】
＜運用機能：現症情報入力＞
患者情報登録手段５は、治療提案書の生成、編集、提供を行う対象となる患者が、治療提案書生成装置１に登録されていない新規の患者である場合に、患者情報の登録を行う。
【００３９】
図３（ａ）は、患者指定画面Ｗ１の画面表示例である。
患者指定画面Ｗ１には、現症情報入力画面Ｗ２を表示するための表示切替部Ｗ１１と、患者情報登録手段５により登録された患者情報が表示される患者情報表示部Ｗ１２と、患者情報編集画面Ｚを表示するための患者情報編集部Ｗ１３と、が表示されている。
ユーザーは、患者情報表示部Ｗ１２に一覧表示された患者リストの中から、治療提案書の生成、編集、提供を行う患者を選択する。
【００４０】
図３（ｂ）は、患者情報編集画面Ｚの画面表示例である。
患者情報編集画面Ｚにおいて、名前や住所、生年月日等の変更を行える他、患者ごとの保険負担額を変更可能な、保険負担額変更部Ｚ１が表示されている。
【００４１】
現症情報入力手段６は、患者の現症情報の入力を行う。現症とは、患者が受診した時点で示す自覚的症状および他覚的所見の総称のことである。ユーザーは、患者を診察した上で、各歯についての現症情報を、後述する現症情報入力部Ｗ２１及び歯列表示部Ｗ２２に入力することができる。
【００４２】
図４は、現症情報入力画面Ｗ２の画面表示例である。
現症情報入力画面Ｗ２には、現症情報入力部Ｗ２１（症状情報入力部Ｗ２１１、治療方法情報入力部Ｗ２１２）と、歯列表示部Ｗ２２と、口腔内画像取込部Ｗ２３と、が表示されている。
ユーザーは、現症情報入力手段６を用いて、選択した患者の各歯における症状を、予め登録された症状情報から選択し、症状情報入力部Ｗ２１１に入力する。次に、治療パターン情報登録手段２により登録した治療方法情報が、入力した症状情報に応じて、治療方法情報入力部Ｗ２１２に自動的に入力される。治療方法情報は、治療方法情報入力部Ｗ２１２のプルダウンメニューより、適宜変更可能である。画面の中心の歯列表示部Ｗ２２には、上顎又は下顎の歯列全体の模式図が表示され、画面の右半分には、歯列全体の内、ユーザーから見て左半分の各歯の症状及び治療方法を選択し、入力する。画面の左半分についても同様である。
【００４３】
また、歯列表示部Ｗ２２には、歯列全体の模式図及び口腔内画像が表示されている。口腔内画像は、口腔内画像取込部Ｗ２３を用い、治療提案書生成装置１に予め登録された口腔内画像から選択することで表示される。これにより、患部を確認しながら正確な現症情報の登録が可能となる。この口腔内画像は適宜表示、非表示を切り替えられる他、適宜拡大、縮小することもできる。
【００４４】
また、ユーザーは、現症情報入力手段６を用いて、歯列全体の模式図における各歯についての現症情報を入力する。具体的には、歯列表示部Ｗ２２に表れているように、欠損している歯を非表示とする、異常のある歯を赤色等任意の色に着色する、といったことが行える。さらに、歯に詰め物（インレー、アンレー）が施されている場合、一の歯の模式図上に詰め物の模式図が表示される。
【００４５】
現症リスト生成手段７は、現症情報入力画面Ｗ２を介して入力された現症情報に基づいて、現症リストの生成を行う。
【００４６】
図５の（ａ）は、治療提案書生成装置１における、現症リストの生成要求画面Ｗ３の画面表示例である。
生成要求画面Ｗ３には、口腔内画像切替部Ｗ３１、コメント入力部Ｗ３２、定型コメント保存部Ｗ３３と、が表示されている。
ユーザーは、口腔内画像切替部Ｗ３１を用いることで、現症リストに表示される画像を、歯列全体の模式図から、治療提案書生成装置１に予め登録された口腔内画像に切り替えることができる。また、コメント入力部Ｗ３２に、現症リストを生成した際に掲載するコメントを適宜入力できる。
また、ユーザーは、定型コメント保存部Ｗ３３に、患者に現症等を説明する上で頻繁に使用される定型コメントを予め保存しておくことができ、コメント入力部Ｗ３２に、適宜定型コメントを反映させることができる。（ｂ）に、現症リスト生成手段７を用いて生成した現症リストを一例として示す。
【００４７】
＜運用機能：治療プラン生成＞
治療プラン生成手段８は、患者の各歯の治療パターン情報及び価格情報を一覧で表示する治療プランの生成を行う。
【００４８】
図６は、（ａ）治療プラン生成画面Ｗ４の初期状態の画面表示例、（ｂ）表示パターン確認画面Ｗ５の画面表示例である。
（ａ）治療プラン生成画面Ｗ４には、一覧表示部Ｗ４１と、治療プラン操作部Ｗ４２と、が表示されている。
ユーザーは、治療プラン生成手段８を用いて、現症情報入力画面より入力した各歯の治療パターン情報を、一覧表示部Ｗ４１に一覧表示し、治療プランを生成する。このとき、一覧表示を行う前に、（ｂ）の画面が表示され、自己負担時の治療パターン情報、保険適用時の治療パターン情報どちらで一覧表示するか確認を行う。自己負担時の治療パターン情報を表示する場合、この治療パターン情報に対応した自己負担時の価格情報が表示される。保険適用時の治療パターン情報を表示する場合も同様である。
また、ユーザーは、治療プラン操作部Ｗ４２を用いて、治療プランの新規登録や治療プランの保存、治療プランの別名登録、治療プランの名称変更、治療プランの削除を、個別の画面（図示せず）を介して行うことができる。
【００４９】
治療優先度情報入力手段９は、各歯の症状情報に基づいて治療優先度情報の入力を行う。本例では、治療優先度の評価方法として数字での５段階評価としているが、段階数を増減しても良いし、ＳランクやＡランク等アルファベットでの段階評価を採用しても良い。
【００５０】
図７は、（ａ）治療プラン全体編集画面Ｗ６の画面表示例、（ｂ）治療プラン個別編集画面Ｗ７の画面表示例である。
（ａ）治療プラン全体編集画面Ｗ６には、一覧表示部Ｗ６１と、歯列表示部Ｗ６２と、治療優先度情報入力部Ｗ６３と、口腔内画像切替部Ｗ６４と、が表示されている。
ユーザーは、治療優先度情報入力手段９を用いて、治療優先度情報入力部Ｗ６３に各歯の治療優先度情報を入力する。また、入力した治療パターン情報の削除、治療パターン情報の追加、プラン名の変更等を行うことができる。さらに、一覧表示の中から一の行を選択することで、図８（ｂ）の編集画面となり、各歯の治療に関する情報を総合的に編集することができる。
また、ユーザーは、口腔内画像切替部Ｗ６４を用いることで、歯列表示部Ｗ６２に表示されている歯列全体の模式図を口腔内画像に切り替えることができる。
なお、治療優先度情報を入力は、現症情報入力の際に行う構成としても良い。
【００５１】
図８は、（ａ）口腔内画像入力画面Ｗ８の画面表示例、（ｂ）口腔内画像が表示された治療プラン全体編集画面Ｗ９の画面表示例である。
ユーザーは、口腔内画像入力画面Ｗ８を介して、治療提案書生成装置１に予め登録された口腔内画像の中から、治療プラン全体編集画面に表示する画像を選択する。選択された画像は、歯列全体の模式図に替わって、治療プラン全体編集画面に表示される。
また、ユーザーは、治療前（現症）又は治療後の口腔内画像を表示した治療プランを元に、治療提案書の生成することができる。これにより、ユーザーは、治療前と治療後の歯の状態を比較しながら、患者に治療完了の説明を行うことができる。
なお、この口腔内画像の表示は任意であり、歯列全体の模式図の表示のまま、治療プランの生成を完了しても良い。
【００５２】
＜運用機能：治療提案書生成＞
見積情報生成手段１０は、治療パターン情報及び価格情報に基づいて、歯の治療にかかる費用の見積に関する見積情報の生成を行う。即ち、ユーザーは、見積情報生成手段１０を用いて、治療提案書に含まれている治療パターン情報に応じた価格情報の合計値を生成することができる。
【００５３】
治療提案書生成手段１１は、治療プラン及び治療優先度情報に基づいて、治療提案書の生成を行う。治療提案書には、治療提案リスト、治療見積リスト、参考資料等、数種類の資料が含まれる。
【００５４】
図９は、治療提案リスト及び治療見積リストの生成要求画面Ｗ１０の画面表示例である。
生成要求画面Ｗ１０には、治療優先度情報選択部Ｗ１０１と、コメント入力部Ｗ１０２と、定型コメント保存部Ｗ１０３と、が表示されている。
ユーザーは、治療優先度情報選択部Ｗ１０１より、治療提案リスト及び治療見積リストに含める治療パターン情報の絞り込みを行うことができる。これにより、歯全体を治療する場合の治療方針や見積が記載された治療提案書、治療優先度の高い歯のみを治療する場合の治療方針や見積が記載された治療提案書等、患者の要望に応じて柔軟な治療提案書の生成を行うことが可能となる。
また、ユーザーは、治療提案リスト及び治療見積リストに掲載するコメントを、コメント入力部Ｗ１０２に適宜入力できる。また、定型コメント保存部W１０３には、患者に治療状況等を説明する上で頻繁に使用される定型コメントを予め保存しておくことができ、コメント入力部Ｗ１０２に、適宜定型コメントを反映させることができる。
【００５５】
図１０に、治療提案書生成手段１１を用いて生成した（ａ）治療提案リスト、（ｂ）治療見積リストを一例として示す。
【００５６】
図１１の（ａ）は、参考資料情報の生成要求画面Ｗ１４の画面表示例である。
生成要求画面Ｗ１４には、コメント入力部Ｗ１４１が表示されている。
ユーザーは、参考資料に掲載するコメントを、コメント入力部Ｗ１４１に適宜入力できる。（ｂ）に、治療提案書生成手段１１を用いて生成した参考資料を一例として示す。
【００５７】
図１２を用いて、患者の口腔内の各歯に関する情報の登録から、治療提案書の生成までの全体の流れについて説明する。
【００５８】
まず、ステップＳ１で初期設定を行う。
具体的には、治療パターン情報登録手段２、価格情報登録手段３、参考資料情報登録手段４を用いて、症状情報、治療方法情報、価格情報、参考資料情報を登録する。
【００５９】
ステップＳ２では、患者の現症情報の入力を行う。
まず、新規患者の治療提案書を生成する場合（ステップＳ２−１でＹ）、患者情報登録手段５を用いて、その都度、新規患者情報を登録する（ステップＳ２−２）。既存の患者の治療提案書を生成する場合（ステップＳ２−１でＮ）、ステップＳ２−３に進む。
【００６０】
次いで、患者の口腔内における各歯の現症を、現症情報入力手段６を用いて入力する（ステップＳ２−３）。
【００６１】
次いで、現症リストを生成するか否かの選択を行う（ステップＳ２−４）。生成する場合（ステップＳ２−４でＹ）、現症リスト生成手段７を用いて生成を行う（ステップＳ２−５）。生成しない場合（ステップＳ２−４でＮ）、ステップＳ３に進む。
【００６２】
ステップＳ３では、治療プラン生成手段８を用いて、治療プランの生成を行う。
まず、新規治療プランの生成を決定し、（ステップＳ３−１）次いで、治療パターン情報及び価格情報を自己負担時、保険適用時の何れの場合で一覧表示するかを選択する（ステップＳ３−２）ことで、治療プランを生成する。
【００６３】
次いで、各歯の治療優先度情報を、治療優先度情報入力手段９を用いて入力する（ステップＳ３−３）。
【００６４】
次いで、治療プランの修正を行う場合（ステップＳ３−４でＹ）、その都度、修正項目を選択し、修正を行う（ステップＳ３−５）。治療プランの修正を行わない場合（ステップＳ３−４でＮ）、ステップＳ３−６に進む。
【００６５】
次いで、口腔内画像の入力を行う場合（ステップＳ３−６でＹ）、上顎及び下顎それぞれの画像を選択し、口腔内画像を入力する（ステップＳ３−７）ことで、治療プランの生成を完了する。口腔内画像の入力を行わない場合（ステップＳ３−６でＮ）、そのまま治療プランの生成を完了し、ステップＳ４に進む。
【００６６】
ステップＳ４では、治療提案書生成手段１１を用いて、治療提案書の生成を行う。
まず、治療提案リストを生成するか否かの選択を行う（ステップＳ４−１）。生成する場合（ステップＳ４−１でＹ）、治療優先度情報の選択を行い（ステップＳ４−２）、治療提案リストに記載する治療パターン情報を絞り込み、治療提案書生成手段１１を用いて生成を行う（ステップＳ４−３）。生成しない場合（ステップＳ４−１でＮ）、ステップＳ４−４に進む。
【００６７】
次いで、治療見積リストを生成するか否かの選択を行う（ステップＳ４−４）。生成する場合（ステップＳ４−４でＹ）、治療優先度情報の選択を行い（ステップＳ４−５）、治療見積リストに記載する治療パターン情報を絞り込み、治療提案書生成手段１１を用いて生成を行う（ステップＳ４−６）。生成しない場合（ステップＳ４−４でＮ）、ステップＳ４−７に進む。
【００６８】
次いで、参考資料を生成するか否かの選択を行う（ステップＳ４−７）。生成する場合（ステップＳ４−７でＹ）、治療提案書生成手段１１を用いて生成を行う（ステップＳ４−８）。生成しない場合（ステップＳ４−７でＮ）、治療提案書の生成を終了する。
【００６９】
以上の各ステップにより、患者の口腔内の各歯に関する情報が処理され、治療提案書が生成される。
【００７０】
本実施形態によれば、各歯の現症情報及び治療の優先度を個別に表示することできるため、ユーザーは、優先度に応じた効率的な治療方針を決定し、患者に提案することが可能となる。
【００７１】
また、現症情報入力画面Ｗ２に、歯列画像と共に口腔内画像を表示することで、ユーザーは、患部を確認しながら正確な現症情報の登録が可能となる。
【００７２】
また、歯列表示部Ｗ２２に、視覚的に現症情報を表示することで、ユーザーは、患者への現症の説明が容易となる他、患者の現症に対する理解度を向上させることが可能となる。
【００７３】
また、視覚的な現症情報として、異常のある歯の色を着色する表示を行うことで、患者は、各歯の異常の有無を即座に識別することができ、現症に対する理解度がさらに向上する。
【００７４】
また、治療提案書に見積に関する情報を含めることができ、優先度及び金銭面を総合的に勘案して、治療方針の決定及び提案を行うことができるため、治療方針の効率及び患者の治療方針に対する満足度を向上させることが可能となる。
【００７５】
また、治療パターン情報の選択肢が増えるため、より最適な治療方針の決定及び提案を行うことが可能となる。特に費用や治療方法が大きく異なる自己負担時及び保険適用時の治療パターン情報を比較し、より最適な治療方針の決定及び提案を行うことが可能となる。
【００７６】
また、治療プランの選択肢が増えるため、より最適な治療方針の決定及び提案を行うことが可能となる。特に費用や治療方法が大きく異なる自己負担時及び保険適用時の治療プランを比較し、より最適な治療方針の決定及び提案を行うことが可能となる。
【００７７】
また、治療優先度によって治療提案書に含める治療パターン情報を設定することができるため、患者の要望に合わせた治療提案書の生成が可能となる。
【００７８】
また、治療方針の提案と同時に、専門用語等、患者の理解が不十分と思われる事項を図や写真を利用して説明することが可能となる。
【００７９】
＜実施形態２＞
次いで、図１３〜図１８を用いて、本実施形態に係る治療提案書生成装置１について説明する。なお、実施形態２において、前述の実施形態１と基本的に同一の構成要素については、同一の符号を付してその説明を簡略化する。
【００８０】
本実施形態における治療提案書生成装置１は、更に、歯列情報変更手段１２を備えている。
歯列情報変更手段１２は、歯列情報の変更を受け付けるための手段である。本実施形態では、歯列情報変更手段１２は、歯列情報変更画面Ｘ３に表示された歯列の模式図において、各歯Ｔが有する位置情報の変更を受け付ける。
【００８１】
＜管理者機能：初期設定＞
実施形態１と同様であるため、説明を省略する。
【００８２】
＜運用機能：歯列情報変更＞
図１３は、患者指定画面Ｘ１の画面表示例である。
患者指定画面Ｘ１には、実施形態１と同様に、現症情報入力画面Ｘ２を表示するための表示切替部Ｘ１１と、患者情報登録手段５により登録された患者情報が表示される患者情報表示部Ｘ１２と、患者情報編集画面Ｚを表示するための患者情報編集部Ｘ１３と、が表示されている。
また、歯列情報変更画面Ｘ３を表示するための表示切替部Ｘ１４が表示されている。
ユーザーは、患者情報表示部Ｘ１２に一覧表示された患者リストの中から、治療提案書の生成、編集、提供を行う患者を選択する。
なお、現症情報入力画面Ｘ２は、現症情報入力画面Ｗ２と同様であるため、説明を省略する。
【００８３】
図１４は、歯列情報変更画面Ｘ３における、歯列情報変更前の画面表示例である。
歯列情報変更画面Ｘ３には、上顎又は下顎の歯列の模式図が表示された歯列表示部Ｘ３１と、歯列表示切替部Ｘ３２と、歯列情報保存部Ｘ３３と、初期位置復元部Ｘ３４と、歯列帳票生成部Ｘ３５と、が表示されている。
歯列情報は、歯列の模式図を形成する各歯Ｔの画面内での表示位置を決定する位置情報を有している。
ユーザーは、歯列情報変更手段１２を用いて、各歯Ｔが有する位置情報を変更する。変更手段としては、マウスやタッチパネルを用いたドラッグ操作や、物理キーボードを用いた座標値の入力等が考えられる。位置情報は、歯列情報変更画面Ｘ３内などの所定範囲内であれば、任意の位置に変更することができる。
また、ユーザーは、歯列表示切替部Ｘ３２を用いて、位置情報の変更対象を、上顎又は下顎の歯列の何れかに切り替えることができる。
【００８４】
図１５は、治療提案書生成装置１の歯列情報変更画面Ｘ４における、上顎又は下顎の歯列情報変更後の画面表示例である。このように、各歯Ｔが有する位置情報を変更した状態で、歯列情報保存部Ｘ３３を用いることで、位置情報変更後の歯列の模式図を、選択した患者固有の歯列情報として、治療提案書生成装置１内に保存することができる。登録された各歯Ｔの有する位置情報は、現症情報入力画面Ｗ２における歯列表示部Ｗ２２や、治療プラン生成画面Ｗ４の歯列表示部、治療プラン全体編集画面Ｗ６の歯列表示部Ｗ６２等において表示される歯列の模式図の表示のために利用されてもよく、表示位置が変更された模式図がこれらに表示されてもよい。
また、初期位置復元部Ｘ３４を用いることで、各歯Ｔの位置情報変更後の歯列の模式図を、図１４の歯列表示部Ｘ３１に示す様な歯列の模式図に復元することができる。
【００８５】
＜運用機能：治療提案書生成＞
図１６は、歯列帳票生成部Ｘ３５を用いることにより表示される、歯列帳票の生成要求画面Ｘ５の画面表示例である。
生成要求画面Ｘ５には、位置情報変更後の、歯列表示部Ｘ３１内に表示された上顎及び下顎の歯列の模式図が、上下方向に並んで表示されている。
【００８６】
なお、位置情報を歯列表示部Ｘ３１外に変更した歯Ｔについては、歯列帳票には表示されない。即ち、患者の歯列に歯の欠損がある場合、欠損部にあたる歯Ｔの位置情報を歯列表示部Ｘ３１外に変更することで、欠損部を歯列帳票に反映させることができる。また、この欠損部にインプラント治療を施した際、患者の歯列情報変更画面Ｘ３を介して、欠損部にあたる歯Ｔの位置情報を、再度歯列表示部Ｘ３１内に変更することで、容易に治療状況を歯列帳票に反映させることができる。
【００８７】
図１７に、治療提案書生成手段１１を用いて生成した歯列帳票を一例として示す。歯列帳票の下部には、患者への治療に関する説明を行う際等に用いられるメモ欄Ｍが設けられている。
【００８８】
図１８を用いて、患者の口腔内の各歯に関する情報の登録から、治療提案書の生成までの全体の流れについて説明する。
【００８９】
まず、ステップＳ２１では、患者の歯列情報の変更を行う。
まず、新規患者の治療提案書を生成する場合（ステップＳ２１−１でＹ）、患者情報登録手段５を用いて、その都度、新規患者情報を登録する（ステップＳ２１−２）。既存の患者の治療提案書を生成する場合（ステップＳ２１−１でＮ）、ステップＳ２１−３に進む。
【００９０】
次いで、歯列情報変更手段１２を用いて、歯列表示部Ｘ３１に表示された歯列の模式図を、患者の歯並びに合わせた表示に変更し、歯列情報を入力する（ステップＳ２１−３）。
【００９１】
ステップＳ２２では、治療提案書生成手段１１を用いて、治療提案書の生成を行う。
具体的には、歯列帳票を生成するか否かの選択を行う（ステップＳ２２−１）。生成する場合（ステップＳ２２−１でＹ）、治療提案書生成手段１１を用いて生成を行う（ステップＳ２２−２）。生成しない場合（ステップＳ２２−１でＮ）、治療提案書の生成を終了する。
【００９２】
以上の各ステップにより、患者の口腔内の各歯に関する情報が処理され、治療提案書が生成される。
【００９３】
本実施形態によれば、歯列の模式図を、患者の歯並びに合わせた表示とすることができる。これにより、例えば、歯並びの矯正治療を行う患者に対して、治療状況等の説明を、視覚的に分かり易く伝えることが可能となる。
【００９４】
また、各歯Ｔの有する位置情報を、歯列表示部Ｘ３１の範囲外に変更可能とすることで、歯並びと共に、歯の欠損の有無を歯列帳票に反映させることが可能となる。
【００９５】
＜実施形態３＞
次いで、図１９〜図３０を用いて、本実施形態に係る治療提案書生成装置１について説明する。なお、実施形態３において、前述の実施形態１と基本的に同一の構成要素については、同一の符号を付してその説明を簡略化する。
【００９６】
本実施形態における治療提案書生成装置１は、更に、治療比較手段１３と、複数本登録手段１４と、治療内容一括登録手段１５と、を備えている。
治療比較手段１３は、現症と治療後それぞれの口腔内画像を一つの画面に表示する。
複数本登録手段１４は、複数の歯に対し同一の治療プランを登録する。
治療内容一括登録手段１５は、一の歯に対し、治療方法や治療に用いる材料を複数登録する。
なお、治療方法及び治療に用いる材料を一括して治療内容と称することとする。
【００９７】
＜管理者機能：初期設定＞
実施形態１と同様であるため、説明を省略する。
【００９８】
＜運用機能：現症情報入力＞
図１９は、患者指定画面Ｙ１の画面表示例である。
患者指定画面Ｙ１には、実施形態１と同様に、現症情報入力画面Ｙ２を表示するための表示切替部Ｙ１１と、患者情報登録手段５により登録された患者情報が表示される患者情報表示部Ｙ１２と、患者情報編集画面Ｚを表示するための患者情報編集部Ｙ１３と、が表示されている。
また、歯列情報変更画面Ｙ３を表示するための表示切替部Ｙ１４が表示されている。
ユーザーは、患者情報表示部Ｙ１２に一覧表示された患者リストの中から、治療提案書の生成、編集、提供を行う患者を選択する。
なお、歯列情報変更画面Ｙ３は、歯列情報変更画面Ｘ３と同様であるため、説明を省略する。
【００９９】
図２０は、現症情報入力画面Ｙ２の画面表示例である。
現症情報入力画面Ｙ２には、実施形態１と同様に、現症情報入力部Ｙ２１（症状情報入力部Ｙ２１１、治療方法情報入力部Ｙ２１２）と、歯列表示部Ｙ２２と、口腔内画像取込部Ｙ２３と、が表示されている。
また、口腔内画像の表示を左右反転させる画像左右入替部Ｙ２４と、上下反転させる画像上下入替部Ｙ２５と、が表示されている。
【０１００】
また、歯に詰め物（インレー、アンレー）が施されている場合、一の歯の模式図上に詰め物の模式図が表示される。
【０１０１】
図２１は、治療プラン生成画面Ｙ４の初期状態の画面表示例である。
治療プラン生成画面Ｙ４には、実施形態１と同様に、一覧表示部Ｙ４１が表示されている。
また、本実施形態における治療プラン生成画面Ｙ４には、更に、治療比較画面Ｙ５を表示するための治療比較画面表示部Ｙ４２と、プラン操作画面Ｙ７を表示するためのプラン操作画面表示部Ｙ４３と、複数本登録画面Ｙ８を表示するための複数本登録画面表示部Ｙ４４と、参考資料印刷画面Ｙ９を表示するための参考資料印刷画面表示部Ｙ４５と、が表示されている。
【０１０２】
図２２は、（ａ）治療比較画面Ｙ５の画面表示例、（ｂ）治療比較印刷画面Ｙ６の画面表示例である。
（ａ）治療比較画面Ｙ５には、患者の治療前の口腔内の画像が表示される現症表示部Ｙ５１と、患者の治療後の口腔内の画像が表示される治療後表示部Ｙ５２と、画面印刷部Ｙ５３と、が表示されている。
（ｂ）治療比較印刷画面Ｙ６は、画面印刷部Ｙ５３を操作することにより表示される。治療比較印刷画面Ｙ６には、印刷対象とする画像の数を選択する画像数選択部Ｙ６１と、印刷対象とする画像を選択する印刷対象画像選択部Ｙ６２と、選択した画像の印刷場所を選択する印刷場所選択部Ｙ６３と、が表示されている。
【０１０３】
図２３は、プラン操作画面Ｙ７の画面表示例である。
ユーザーは、プラン操作画面Ｙ７を介して、治療プランの新規登録や治療プランの保存、治療プランの別名登録、治療プランの名称変更、治療プランの削除を行うことができる。これにより、実施形態１において、治療プラン操作部Ｗ４２により個別の画面を介して編集していた治療プランに関する上記各情報を、一つの画面を介して編集することができる。
【０１０４】
図２４は、複数本登録画面Ｙ８の画面表示例である。
複数本登録画面Ｙ８には、治療対象指定部Ｙ８１と、一括指定部Ｙ８２と、治療プラン編集部Ｙ８３と、が表示されている。
ユーザーは、複数本登録手段１４を用いることで、治療対象指定部Ｙ８１に表示されている歯列の模式図を介して、同一の治療プランを登録する歯を複数選択することができる。また、一括指定部Ｙ８２を介して、全ての歯、上顎の歯のみ又は下顎の歯のみを一括で指定することができる。
【０１０５】
図２５は、参考資料印刷画面Ｙ９の画面表示例である。
参考資料印刷画面Ｙ９には、参考資料情報登録手段４を用いて登録された、患者に治療の説明をする上で必要な情報が記載された参考資料情報の一覧が表示されている。
ユーザーは、左端に設けられた選択部Ｙ９１により、印刷対象とする参考資料情報を複数選択することができる。
【０１０６】
図２６は、（ａ）治療プラン全体編集画面Ｙ１０の画面表示例、（ｂ）治療プラン個別編集画面Ｙ１５の画面表示例である。
（ａ）治療プラン全体編集画面Ｙ１０には、実施形態１と同様に、一覧表示部Ｙ１０１と、歯列表示部Ｙ１０２と、治療優先度情報入力部Ｙ１０３と、口腔内画像切替部Ｙ１０４と、が表示されている。
また、治療内容一括登録画面Ｙ１６を表示するための、治療内容一括登録画面表示部Ｙ１０５が表示されている。即ち、ユーザーは、所定の歯番号をクリックすることで、その歯番号に対応する治療内容一括登録画面Ｙ１６を表示することができる。
【０１０７】
図２７は、治療内容一括登録画面Ｙ１６の画面表示例である。
治療内容一括登録画面Ｙ１６は、例えば、治療方法としてインプラントが選択されている場合の画面表示例である。
ユーザーは、治療内容一括登録手段１５を用いて、インプラントに用いる歯の材料や、ＧＢＲ（骨造成）、サイナスリフトといった治療方法を、左端に設けられた選択部Ｙ１６１により複数選択し、登録することが可能である。
【０１０８】
図２８は、（ａ）口腔内画像入力画面Ｙ１７の画面表示例、（ｂ）口腔内画像が表示された治療プラン全体編集画面Ｙ１８の画面表示例である。
ユーザーは、実施形態１と同様に、口腔内画像入力画面Ｙ１７を介して、治療提案書生成装置１に予め登録された口腔内画像の中から、治療プラン全体編集画面に表示する画像を選択する。選択された画像は、歯列全体の模式図に替わって、治療プラン全体編集画面に表示される。
また、（ａ）口腔内画像入力画面Ｙ１７には、口腔内画像の表示を左右反転させる画像左右入替部Ｙ１７１と、上下反転させる画像上下入替部Ｙ１７２と、が表示されている。
【０１０９】
図２９は、治療提案書、治療見積書、治療見積兼承諾書及び表紙の生成要求画面Ｙ１９の画面表示例である。
生成要求画面Ｙ１９には、実施形態１と同様に、治療優先度情報選択部Ｙ１９１と、コメント入力部Ｙ１９２と、定型コメント保存部Ｙ１９３と、が表示されている。
【０１１０】
図３０に、治療提案書生成手段１１を用いて生成した（ａ）治療見積兼承諾書、（ｂ）表紙を一例として示す。（ａ）治療見積兼承諾書の下部には、患者が自身に施される治療プランの内容に承諾したことを示すための承諾部が設けられている。また、（ｂ）表紙には、治療提案書の提供を行う患者の患者情報の内、患者の名前が紐づいており、自動的に患者の名前が表示される。
【０１１１】
本実施形態によれば、治療方法や治療に必要な材料を各歯について複数指定できるため、複数の治療方法や材料を組み合わせた複雑な治療を施す場合であっても、少ない手順で簡易に治療内容を登録することが可能となる。
【０１１２】
また、複数の歯に同一の治療プランを一括で登録できるため、治療提案書の生成を効率的に行うことが可能となる。
【０１１３】
また、治療前及び治療後の各歯の状態を、一つの画面を介して表示できるため、治療の進捗度を患者に的確に説明することが可能となる。
【０１１４】
また、口腔内画像の表示を左右又は上下に反転可能であることで、患者に治療内容等を説明する際の利便性が向上する。特に、鏡を用いて口腔内の画像を撮影し場合、口腔内画像が上下逆となって現症情報入力画面に表示されることとなるが、ユーザーは、即座に正しい向きでの表示に変更することが可能となる。
【０１１５】
なお、前記実施形態において示した各構成部材の諸形状や寸法等は一例であって、設計要求等に基づき種々変更可能である。
【符号の説明】
【０１１６】
１        治療提案書生成装置
１０１    ＣＰＵ
１０２    メモリ
１０３    記憶部
１０４    通信部
１０５    入力部
１０６    出力部
１０７    オペレーティングシステム
１０８    治療提案書生成プログラム
２        治療パターン情報登録手段
３        価格情報登録手段
４        参考資料情報登録手段
５        患者情報登録手段
６        現症情報入力手段
７        現症リスト生成手段
８        治療プラン生成手段
９        治療優先度情報入力手段
１０      見積情報生成手段
１１      治療提案書生成手段
１２      歯列情報変更手段
１３      治療比較手段
１４      複数本登録手段
１５      治療内容一括登録手段
Ｗ１      患者指定画面
Ｗ１１    表示切替部
Ｗ１２    患者情報表示部
Ｗ１３    患者情報編集部
Ｗ２      現症情報入力画面
Ｗ２１    現症情報入力部
Ｗ２１１  症状情報入力部
Ｗ２１２  治療方法情報入力部
Ｗ２２    歯列表示部
Ｗ２３    口腔内画像取込部
Ｗ３      現症リストの生成要求画面
Ｗ３１    口腔内画像切替部
Ｗ３２    コメント入力部
Ｗ３３    定型コメント保存部
Ｗ４      治療プラン生成画面
Ｗ４１    一覧表示部
Ｗ５      表示パターン確認画面
Ｗ６      治療プラン全体編集画面
Ｗ６１    一覧表示部
Ｗ６２    歯列表示部
Ｗ６３    治療優先度情報入力部
Ｗ６４    口腔内画像切替部
Ｗ７      治療プラン個別編集画面
Ｗ８      口腔内画像入力画面
Ｗ９      治療プラン全体編集画面
Ｗ１０    治療提案リスト及び治療見積リストの生成要求画面
Ｗ１０１  治療優先度情報選択部
Ｗ１０２  コメント入力部
Ｗ１０３  定型コメント保存部
Ｗ１４    参考資料情報の生成要求画面
Ｗ１４１  コメント入力部
Ｘ１      患者指定画面
Ｘ１１    表示切替部
Ｘ１２    患者情報表示部
Ｘ１３    患者情報編集部
Ｘ１４    表示切替部
Ｘ２      現症情報入力画面
Ｘ３      歯列情報変更画面
Ｘ３１    歯列表示部
Ｘ３２    歯列表示切替部
Ｘ３３    歯列情報保存部
Ｘ３４    初期位置復元部
Ｘ３５    歯列帳票生成部
Ｘ４      歯列情報変更画面
Ｘ５      歯列帳票の生成要求画面
Ｙ１      患者指定画面
Ｙ１１    表示切替部
Ｙ１２    患者情報表示部
Ｙ１３    患者情報編集部
Ｙ１４    表示切替部
Ｙ２      現症情報入力画面
Ｙ２１    現症情報入力部
Ｙ２１１  症状情報入力部
Ｙ２１２  治療方法情報入力部
Ｙ２２    歯列表示部
Ｙ２３    口腔内画像取込部
Ｙ２４    画像左右入替部
Ｙ２５    画像上下入替部
Ｙ３      歯列情報変更画面
Ｙ４      治療プラン生成画面
Ｙ４１    一覧表示部
Ｙ４２    治療比較画面表示部
Ｙ４３    プラン操作画面表示部
Ｙ４４    複数本登録画面表示部
Ｙ４５    参考資料印刷画面表示部
Ｙ５      治療比較画面
Ｙ５１    現症表示部
Ｙ５２    治療後表示部
Ｙ６      治療比較印刷画面
Ｙ６１    画像数選択部
Ｙ６２    印刷対象画像選択部
Ｙ６３    印刷場所選択部
Ｙ７      プラン操作画面
Ｙ８      複数本登録画面
Ｙ８１    治療対象指定部
Ｙ８２    一括指定部
Ｙ８３    治療プラン編集部
Ｙ９      参考資料印刷画面
Ｙ９１    選択部
Ｙ１０    治療プラン全体編集画面
Ｙ１０１  一覧表示部
Ｙ１０２  歯列表示部
Ｙ１０３  治療優先度情報入力部
Ｙ１０４  口腔内画像切替部
Ｙ１５    治療プラン個別編集画面
Ｙ１６    治療内容一括登録画面
Ｙ１６１  選択部
Ｙ１７    口腔内画像入力画面
Ｙ１７１  画像左右入替部
Ｙ１７２  画像上下入替部
Ｙ１８    治療プラン全体編集画面
Ｙ１９    生成要求画面
Ｙ１９１  治療優先度情報選択部
Ｙ１９２  コメント入力部
Ｙ１９３  定型コメント保存部
Ｔ        歯
Ｍ        メモ欄
【図１】
2018152067.tif 000003
【図２】
2018152067.tif 000004
【図３】
2018152067.tif 000005
【図４】
2018152067.tif 000006
【図５】
2018152067.tif 000007
【図６】
2018152067.tif 000008
【図７】
2018152067.tif 000009
【図８】
2018152067.tif 000010
【図９】
2018152067.tif 000011
【図１０】
2018152067.tif 000012
【図１１】
2018152067.tif 000013
【図１２】
2018152067.tif 000014
【図１３】
2018152067.tif 000015
【図１４】
2018152067.tif 000016
【図１５】
2018152067.tif 000017
【図１６】
2018152067.tif 000018
【図１７】
2018152067.tif 000019
【図１８】
2018152067.tif 000020
【図１９】
2018152067.tif 000021
【図２０】
2018152067.tif 000022
【図２１】
2018152067.tif 000023
【図２２】
2018152067.tif 000024
【図２３】
2018152067.tif 000025
【図２４】
2018152067.tif 000026
【図２５】
2018152067.tif 000027
【図２６】
2018152067.tif 000028
【図２７】
2018152067.tif 000029
【図２８】
2018152067.tif 000030
【図２９】
2018152067.tif 000031
【図３０】
2018152067.tif 000032